(57)【特許請求の範囲】
【請求項１】
方形の底部、底部の上に置かれた側面部および側面部の上に置かれた蓋部からなる箱であって、底部は底板および底板の周辺部において底板と接合された底枠からなり、側面部は支柱と熱可塑性樹脂から成形された中空構造板である側板とからなり、支柱と側板とは一体に連結してあり、底枠は側板の下端を垂直方向に差し込んで側板を支持するためのエル（Ｌ）型の断面の形状を有する溝を有しており、支柱は側板の垂直方向の両端を差し込んで側板を支持するためのエル（Ｌ）型の断面の溝を有しており、対向する側板のそれぞれに中央部および両端部の３箇所を折り曲げ、側面部は嵩張らない部分に折り畳むことができ、蓋部は蓋板および蓋板の周辺部において蓋板と接合される蓋枠とからなり、蓋枠は側板の上端を垂直方向に差し込んで側板を支持するための溝を有している箱。
【発明の詳細な説明】
【０００１】
【発明の属する技術分野】
本発明は箱に関する。詳しくは、本発明は、物品を入れた箱を目的地である輸送先まで輸送したあと空箱を通い箱として再使用したい場合に、空箱を目的地で保管したり、中継地や輸送元である発送地へ返送したり、中継地や発送地で保管したりするに際して、箱を嵩張らない各部分に容易に分解または折り畳むことができ、且つ、各部分から箱を容易に組み立てることができる箱に関する。
【０００２】
【従来の技術】
物品、例えば自動車用の部品を例にとると、エンジン、エンジン部品一式、バンパー、ドア、ボンネット、ダッシュボード等の物品を東南アジア等の海外へ輸送などする際に使用し得る箱として、本願出願人は先に、平成７年４月１３日に出願した特願平７−８７９７７号に係る図２１に示したような箱の発明を出願した。
【０００３】
図２１の箱は例えば自動車用ミッション梱包用として好ましく用い得る箱であり、そのサイズは例えば縦が約７８８ｍｍ、横が約５４８ｍｍ、高さが約５０７ｍｍである。図２１の箱は、例えば木製である各部を釘等で接合してなる底部１０１、側面部１０２および蓋部１０３とからなり、先ず梱包すべき物品を底部１０１の上に置き、次に底部１０１の上に側面部１０２を置き、最後に側面部１０２の上に蓋部１０３を被せて使用される。ここで、側面部１０２は、素材が例えば後記の熱可塑性樹脂から成形された中空構造板である側板１０４と、素材が例えば木製であるカマチ１０５や支柱１０６とをステープラー（ｓｔａｐｌｅｒ、ホッチキス。図の−−−印の部分）で接合したものである。ここで、底部１０１と側面部１０２とは接合されておらず、側面部１０２は単に底部１０１の上に置かれているだけである。なお、図２１の側板１０４や蓋部１０３に記載した円内の平行線は、箱を製造するための素材の一つでもある中空構造板のリブの方向を示すものであり、以下の図における平行線も同じ意味を有するものである。
【０００４】
【発明が解決しようとする課題】
しかし、図２１のような箱は、それを通い箱として再使用するために輸送先から輸送元等へ返送する場合、底部１０１と蓋部１０３とは平たい形状であるから嵩張らないものの、側面部１０２はステープラーで接合されているので、そのままでは嵩張るという問題を有する。
【０００５】
ここで、側面部１０２はステープラーを引き抜くことによって嵩張らない平板状の部分に分解し得るが、ステープラーを引き抜くことは、釘を引き抜くことに比べると容易で手間がかからないものの、それでもなお手間のかかる作業であり、また、箱を各部分から組み立てる際に再度ステープラーで接合しなければならないという手間がかかるから、図２１のような箱は、それを通い箱として再使用しようとすると、このような手間がかかるという問題を有する。
【０００６】
本発明の目的は、箱を通い箱として使用する場合に、このような嵩張りの問題および手間の問題を解決した箱を提供することである。
【０００７】
【課題を解決するための手段】
本発明者は、通い箱として使用する場合に、上記した嵩張りの問題および手間の問題を持たない箱の開発について、鋭意研究を続けてきた。
その結果、箱の底部および側面部を特定の構造を有するものにすることにより、上記の問題すなわち嵩張りの問題および手間の問題を解決した箱となし得ることを見いだし、本発明を完成させるに至った。
【０００８】
すなわち、本発明は、方形の底部、底部の上に置かれた側面部および側面部の上に置かれた蓋部からなる箱であって、底部は底板および底板の周辺部において底板と接合された底枠からなり、側面部は支柱と側板とからなり、支柱と側板とは一体に連結してあり、底枠は側板の下端を垂直方向に差し込んで側板を支持するための溝を有しており、支柱は側板の垂直方向の両端を差し込んで側板を支持するための溝を有しており、側面部は嵩張らない部分に分解または折り畳むことができ、蓋部は蓋板および蓋板の周辺部において蓋板と接合される蓋枠とからなり、蓋枠は側板の上端を垂直方向に差し込んで側板を支持するための溝を有している箱である。
【０００９】
【発明の実施の態様】
以下、本発明について詳細に説明するが、本発明を図によって説明する場合、図示したものは本発明の例に過ぎず、本発明は図示されたものに限定されるものではない。また、図は本発明を分かり易く描くことに重点を置いており、縮尺等は必ずしも実際のものを正確に反映したものではない。
【００１０】
図１〜４は本発明の好ましい箱の第１の例を示す図であり、以下これらの図に基づいて説明する。
図１は箱の斜視図であって、この箱は底部１、側面部２および蓋部３なる部分から構成されている。これらの部分は相互に接合されてはおらず、底部１の上に側面部２が、側面部２の上に蓋部３が、それぞれ単に置かれているものである。従って、この箱の使い方は例えば、底部１の上に物品を置いた後その上に側面部２を置き、しかるのち側面部２の上に蓋部３を被せ、必要に応じて、底部１と側面部２と蓋部３とが外れないように底部１の下から蓋部３の上にかけて紐をかければよい。箱のサイズは箱の用途等に応じて適宜決めればよく、図１の箱のサイズは縦、横、高さがそれぞれ１１００ｍｍである。
【００１１】
図２は、図１の箱を蓋部３とその他の部分とに分解したものの斜視図、図３は図２のものを更に底部１と側面部２とに分解した斜視図、図４は嵩張らない平板状の各部分を一緒にして積み重ねたものの斜視図である。
図２の円内の拡大図は蓋部３の周辺部において蓋板４と接合されてなる断面（ここで、断面とは、棒状の蓋枠５を棒の軸方向と直行する方向に切断した場合の断面である）の形状がエル（Ｌ）型の蓋枠５の一部を示す斜視図、図３の上二つの円内の拡大図は、相対する一対の側板６（図の右手前側の側板６および左手奥側の側板６）のうちの左手奥側の側板６のみについてそのほぼ中央部および端部を折り畳みつつある状態にあるものの一部を示す斜視図（側板６を折り畳み得るものにする方法については後記）、中円内の拡大図は水平方向の断面の形状がエル（Ｌ）型である支柱７の一部を示す斜視図、下円内の拡大図は底板８の周辺部において底板８と接合されてなる底枠９の一部を示す斜視図であって、この場合の底枠９は断面（ここで、断面とは、蓋枠５の場合と同様の意味である）の形状がエル（Ｌ）型のものである。
【００１２】
箱の底部１は方形（上から見た場合の形状）であって、底板８と底板８の周辺部において底板８と接合された底枠９とからなる。底板８の下部に接合された滑材１０等の部材は箱をフォークリフト等で移動するためのものであって、本発明においてこれら部材は必須ではない。
底板８と底枠９とは接合されている。接合方法は特に限定されずビス、クギ、接着剤、ステープラー（ホッチキス）等による接合方法を例示し得るが、接合のし易さの観点からビスによる接合方法が好ましい。図の底板８と底枠９とはビスで接合されている。
【００１３】
底板の素材やサイズは特に限定されない。素材としては底板と底枠との接合のし易さの観点から木製が好ましく、サイズは箱のサイズ等に応じて適宜決めればよい。図の底板８は木製の一枚物であるが、簀の子状のものであってもかまわない。
底枠は、側板の下端を垂直方向に差し込んで側板を支持するための溝を有していることを構造上の最大の特徴とするものであり、それ以外の構造については必要に応じて設計変更し得るものである。図の底枠９は垂直方向の溝１１を有する断面の形状がエル（Ｌ）型の棒状のものである。その素材は特に限定されず、素材として塩化ビニル樹脂、ポリエチレン樹脂、ポリプロピレン樹脂等のポリオレフィン樹脂、ポリアミド樹脂、ポリエステル樹脂等の樹脂；アルミニウムやスチール等の金属を例示することができる。強度的に満足でき、また成形加工のし易さやコスト等の観点から塩化ビニル樹脂が好ましい。図の底枠９の素材は塩化ビニル樹脂である。
【００１４】
底枠のサイズも特に限定されず、箱のサイズ等に応じて適宜決めればよい。図の底枠９のサイズは、底板８の上面からの高さ及び底板８と接している部分の幅は双方とも４０ｍｍ、溝１１の幅は１２ｍｍ、樹脂部分の厚さは２ｍｍである。この溝１１の中に後記する側板６の下端が垂直方向に差し込まれて、側板６が支持される。底枠９の端部（底板８上の四隅に当たる部分）が切り欠かれている理由は、側板６の下端を底枠９の垂直方向の溝１１に完全に差し込むためであり、そうしないと側面部２を構成する支柱７の下端が底枠９の端部に当たって、側板６の下端を溝１１に完全に差し込むことができないからである。なお、これとは逆に、図示はしていないが、底枠の端部を切り欠かないで底枠全体として繋がった形態のものとし、支柱の下端の方を切り欠いてもよい。本発明に係る底枠の特徴は、側板の下端を垂直方向に差し込むことができる溝を有していることであり、その他の点は適宜設計変更し得るものにすぎない。
【００１５】
側面部は、側板の垂直方向の両端を差し込んで側板を支持するための溝を有することを構造上の特徴とする支柱と、側板とから構成されている。かかる支柱として、その水平方向の断面の形状がエル（Ｌ）型および／またはエイチ（Ｈ）型である支柱を例示し得る。図の側面部２は、溝１２を有する４本のエル（Ｌ）型の支柱７と４枚の側板６とから構成されている。支柱の素材やサイズについては上記した底枠の場合と同様であり、図の支柱７の素材およびサイズ（支柱７自体の幅、溝１２の幅、樹脂部分の厚さ）は底枠９と同じである。４枚の側板６は後記の厚さが１２ｍｍの中空構造板からなるものである。
【００１６】
本発明の箱の最大の特徴は、箱の側面部を嵩張らない部分に分解または折り畳むことができる点にあり、以下この点について説明する。
図１に例示した箱の場合、２枚の側板６（図２の左手前側の側板６と右手奥側の側板６）のそれぞれの両端は、エル（Ｌ）型の支柱７の溝１２に差し込まれ且つ接合されており（図の場合はビスで接合されているが、その他の方法で接合してもよい）、残りの２枚の側板６（図２の左手奥側の側板６と右手前側の側板６）のそれぞれの両端は、エル（Ｌ）型の支柱７の溝１２に差し込まれているのみで両者は接合されていない。
【００１７】
従って、図１の箱の側面部２は、ビスで接合されていない２枚の側板６を支柱７の溝１２から引き抜くのみで、側板６（図２の左手前側の側板６と右手奥側の側板６）の両端に支柱７が接合された嵩張らない二つの部分と、嵩張らない２枚の側板６（図２の左手奥側の側板６と右手前側の側板６）とに分解し得る。分解された各部分から箱を組み立てるに際しては、支柱７と接合されていない２枚の側板６の両端を支柱７の溝１２に差し込みつつ、側板６の下端を底枠９の溝１１に差し込めばよい。この態様においては、ビスで接合されていない２枚の側板６は折り畳み得ないものでもよい。
【００１８】
図１の箱の側面部２の別の態様として、図示はしていないが、支柱と側板とをビス等で接合しない態様を挙げ得る。この場合、分解された部分すなわち４本の支柱と４枚の側板とから箱を組み立てるに際しては、各支柱の溝に側板の両端を差し込みつつ、側板の下端を底枠の溝に差し込めばよい。この態様においては、２枚の側板（図２の左手奥側の側板と右手前側の側板）は折り畳み得ないものでもよい。
【００１９】
図１の箱の側面部２の更に別の態様として、図示はしていないが、全ての支柱と全ての側板とをビス等で接合する態様を挙げ得る。この場合の側面部は、相対する２枚の側面（図２の左手奥側の側板６と右手前側の側板６）のぞれぞれを図３のように３箇所で折り曲げて側面部全体を畳むことによって、側面部全体を図４のように嵩張らない部分となし得る。箱を組み立てるに際しては、折り畳まれた側面部を拡げて、側板の下端を底枠の溝に差し込めばよい。
【００２０】
図１の箱の側面部２のその他の態様として例えば、図示はしていないが、任意の１枚の側板のみを支柱と接合しない場合の態様のように、上記した態様の中間に位置付けられるべき態様を挙げ得る。
図１に例示した箱の蓋部３は、図２の通り蓋板４ならびに蓋板４とビスで接合された水平および垂直方向の溝を有するエル（Ｌ）型で棒状の蓋枠５とからなる。蓋枠５の水平方向の溝１３には蓋板４の端部が差し込まれており、垂直方向の溝１４には側板６の上端部が差し込まれている。この図の蓋板４は厚さ１２ｍｍの中空構造板からなり、蓋枠５の素材やサイズ（蓋枠５自体の幅、溝１３・１４の幅、樹脂部分の厚さ）は、上記の底枠９や支柱７と同一である。
【００２１】
図１の蓋部３は、蓋枠５が側面部２を固定するための垂直方向の溝１４を有しているので好ましい態様の蓋部である。しかし、本発明の箱に係る蓋部はこの態様の蓋部に限定されるものでなく、蓋部の役目をするものでありさえすればよい。他の態様の蓋部としては例えば、木製、紙製（例えばダンボール）、金属製、プラスチック製の単なる一枚物の板であってもよいし、これら素材から製造された側面部に覆い被せるタイプのものであってもよい。なお、図３の支柱７の上端部が切り欠かれている理由は、側板６の上端部を蓋枠５の溝１４に完全に差し込むためであり、そうしないと支柱７の上端部が蓋枠５の端部に当たって、側板６の上端部を溝１４に完全に差し込むことができないからである。これとは逆に支柱の上端部を切り欠かない場合は、図示はしていないが、蓋枠の端部を切り欠けばよい。
【００２２】
側面部を構成する側板の素材は特に制限されない。素材としては例えば、熱可塑性樹脂から成形された厚さ１．５〜２０ｍｍの中空構造板（後記）、厚さ３〜１５ｍｍの紙ダンボール板、厚さ１〜５ｍｍの板紙、厚さ２〜１０ｍｍの樹脂製発泡板や樹脂製板を挙げ得る。樹脂製発泡板の例としては、プロピレンの単独重合体から製造された発泡倍率が例えば１．３倍の住友化学工業（株）製のスミセラー（登録商標）を挙げ得る。側板の素材やその厚さ等については、本発明の箱の用途やサイズ等に応じて適宜決めればよい。
【００２３】
本発明の箱にかかる側板の素材としては、熱可塑性樹脂から成形された中空構造板が特に好ましい。この素材は図５に例示したようなリブ２２を有する中空構造板であり、図５ａのものは、リブ２２と平行な方向からの圧縮力に対して特に良く耐え得る軽量で耐水性の板状物である。これは良く知られた素材であって、例えば熱可塑性ポリプロピレン系樹脂から成形された住友化学工業（株）製のサンプライ（登録商標）やスミパネル（登録商標）が市販されており、種々の厚さの中空構造板を入手し得る。中空構造板を側板として用いる場合、側板には上方向からの圧縮力がかかることがあるので（例えば、物品入りの箱を積み重ねた場合）、図１のようにリブの方向が垂直になる方向で用いるのが良い。図１の側板は、ポリプロピレン系樹脂から成形された住友化学工業（株）製の中空構造板であるスミパネル（登録商標）からなる。
【００２４】
図３の左手奥側の側板６のように、側板６を折り曲げたり元の平板状にしたりする方法について述べる。中空構造板以外の上記素材（紙ダンボール板、板紙、樹脂製発泡板や樹脂製板）は、折り曲げるべき線の上に例えば通常のカッターナイフで切り溝を付け、その切り溝の部分を手等の力によって折り曲げればよい。図５ａのような中空構造板を側板として使う場合、それをリブと平行の方向またはリブに対して直角の方向に折り曲げなければならないが、中空構造板の折り曲げ方法について以下に例示する。
【００２５】
中空構造板をリブと平行の方向に折り曲げるには、中空構造板上の折り曲げるべき線上に刃先がユー（Ｕ）字形の刃を押圧することによって中空構造板上にリブと平行にユー（Ｕ）字形の溝を入れ、その溝の部分を手等の力によって折り曲げるか、又は、中空構造板上の折り曲げるべき線上にヒートバー（折り曲げるべき部分を熱で溶融するための加熱された棒状の治具であって、良く知られた治具である）を当てた後、その部分を冷時に例えば手等の力によって折り曲げればよい。折り曲げを冷時に行なうことは、折り曲げ部の形状が固定されないで可動性を有する（もとの平板状になし得る）から好都合である。図３の側板６は、このヒートバーによる方法で折り曲げ得るようにしたものである。
【００２６】
リブに対して直角の方向に折り曲げるには例えば、中空構造板上の折り曲げるべき線上にナイフ等の刃で切り溝を付け、その切り溝の部分を手等の力によって折り曲げ得る方法、又は、中空構造板上の折り曲げるべき線上にヒートバーを当てた後、その部分を例えば手等の力によって冷時に折り曲げる方法を適用すればよい。前者の折り曲げ方法は極めて容易に折り曲げ得る方法であり、且つ、折り曲げ部がシャープに美しく仕上がる方法であるが、後者の折り曲げ方法に比べると、中空構造板の折り曲げ部分の厚さすなわちナイフ等の刃で切られないで残っている部分の厚さが薄いので、強度的に不利である場合がある。
【００２７】
図６〜９は本発明の好ましい箱の第２の例を示す図であり、第１の例である図１〜４にそれぞれ対応する図である。この箱と第１の例の箱とは支柱の水平方向の断面の形状がエイチ（Ｈ）型である点において相違し、他の点は基本的に同じである。以下、第２の例の箱について図に基づいて説明する。
図６は底部２１の上に側面部２２が、側面部２２の上に蓋部２３がそれぞれ単に置かれている箱の斜視図であり、箱のサイズは図１の箱の場合と同じである。図７は箱を蓋部２３とその他の部分とに分解したものの斜視図、図８は図７のものを更に底部２１と側面部２２とに分解した斜視図、図９は嵩張らない平板状の各部分を一緒にして積み重ねたものの斜視図である。図８の円内の拡大図はエイチ（Ｈ）型の支柱２４の一部を示す斜視図である。
【００２８】
箱の底部はビス等で接合された底板とエル（Ｌ）型の底枠とからなる。図８の左手前側および右手奥側の底枠２５のほぼ中央部の一部が切り欠かれている理由は、エイチ（Ｈ）型の支柱２４の下端部と底枠２５とが当たることなく側板２６の下端部を底枠２５の溝に完全に差し仕んで側板２６を支持するためである。これとは逆に底枠の一部を切り欠かない場合は、図示はしていないが、支柱の下端部を切り欠けばよい。
【００２９】
側面部は溝を有するエイチ（Ｈ）型の支柱と側面とから構成されており、図の例の場合は２本のエイチ（Ｈ）型の支柱２４と２枚の側板２６とから構成されている。この例の箱の場合、２枚の側板２６のそれぞれの垂直方向の端部は２本の支柱２４の溝に差し込まれ、且つ、両者はビスで接合されている。従って、この箱の側面部２２は、２枚の側板２６のそれぞれを３箇所で折り曲げることによって、嵩張らない平板状の一つの部分となし得る。
【００３０】
この箱の側面部の別の態様として、図示はしていないが、支柱と側板とをビス等で接合しない態様を挙げ得る。この場合、分解された部分すなわち２本の支柱と２枚の側板とから箱を組み立てるに際しては、各支柱の溝に側板の両端部を差し込みつつ、側板の下端を底枠の溝に差し込めばよい。
側面部の更に別の態様として、図示はしていないが、１本の支柱と１枚の側板とをビス等で接合したものを２個作る態様など、上記した態様の中間に位置付けられるべき態様を挙げ得る。また、図示はしていないが、１本の支柱と１枚の側板（６箇所で折り曲げ得る側板）とからなる側面部や、３本の支柱と３枚の側板とからなる側面部や、４本の支柱と４枚の側板とからなる側面部であってもよい。
【００３１】
図１０は本発明の好ましい箱の第３の例を示す斜視図である。但し、第１の箱の例である図３、第２の箱の例である図８に対応する図のみを示した。この箱の側面部３１も第２の例の箱の側面部２２と同様に、２本のエイチ（Ｈ）型の支柱３２と２枚の側板３３とから構成されているが、両者は側板３３の折り曲げる位置において相違する。すなわち、図８の２枚の側板２６はそれぞれ３箇所（箱の２つの隅および側板２６のほぼ中央）で折り曲げられているのに対し、図１０の２枚の側板３３はそれぞれ２箇所（箱の２つの隅）で折り曲げられている。
【００３２】
図１０の箱の側面部３１においては、２枚の側板３３のそれぞれの垂直方向の端部は２本の支柱３２の溝に差し込まれているのみで、両者はビスで接合されていない。この箱の側面部３１の別の態様として、図示はしていないが、支柱を２本とも一方の側板にビス等で接合する態様や、１本の支柱は一方の側板に、残りの１本の支柱は他方の側板にそれぞれビス等で接合する態様を挙げ得る。更に別の態様として、支柱と側面とを全てビス等で接合する態様を挙げ得る。但し、この態様においては、側面部を嵩張らない平板状の一つの部分とするためには、図３の場合と同様に、支柱３２の近傍においても側面３３を折り曲げ得るようにしなけければならない。
【００３３】
図１１は本発明の好ましい箱の第４の例を示す斜視図であり、第１の箱の例である図３、第２の箱の例である図８、第３の箱の例である図１０に対応する図である。この箱の支柱４１・４２は、第１の例の箱で示したエル（Ｌ）型の支柱の４本と、第２や第３の例の箱で示したエイチ（Ｈ）型の支柱の２本とを併用している。すなわち、この箱は、図１０の例の箱の四隅にも支柱を使用した箱に相当するものである。
【００３４】
図１２〜１４は本発明の好ましい箱の第５の例を示す図である。この箱の構造は、側面部５１の一か所（図１３の左手前側の面の上半分）が開閉し得る構造になっていることを除いて、第１の例の箱の構造と基本的に同じである。側面部５１のこのような開閉構造は、例えば物品の出し入れや箱の内部状態の確認等にとって好都合である。なお、開閉し得る側板５２は中空構造板からなる一枚の板を上記した方法によって折り曲げ得るように加工したものであり、該側板５２の両端部にビス等で接合された支柱５３はそれぞれ途中で切断されている。
【００３５】
この箱の側面部５１は４つの部分すなわち、２枚の側板５２（図１３の左手奥側および右手前側の側板５２）である２つの部分と、２枚の側板５２のそれぞれ（図１３の左手前側および右手奥側の側面５２）の垂直方向の両端部にエル（Ｌ）型の支柱５３がビス等で接合されたものである２つの部分とから構成されている。
【００３６】
図１５〜１７は本発明の好ましい箱の第６の例を示す図である。この箱の側面部６１は４本のエイチ（Ｈ）型の支柱６２と４枚の側板６３（図１６の中央奥側の折り曲げられた側板６３、右手側の折り曲げられた側板６３、中央手前側の折り曲げられた側板６３、および左手側の折り曲げられた側板６３）から構成されている。該４枚の側板６３の中の後２者の側板は図１６の通り開閉し得る構造になっており、側面部６１のこのような開閉構造は図１３の場合と同様に、物品の出し入れや箱の内部状態の確認等にとって好都合である。なお、開閉し得るようにした２枚の側板６３（中央手前側の側板６３、左手側の側板６３）のそれぞれは、中空構造板からなる一枚の板の特定の部位（左手前側の面のほぼ中央部）を上記した方法によって折り曲げ得るように加工し、且つ、該板の別の特定の部位（該左手前側の面の両端に続く面）を切断したものであり、該２枚の側板６３の間にビス等で接合されたエイチ（Ｈ）型の支柱６２（左手前側の支柱６２）は途中で切断されている。
【００３７】
この箱の側面部６１は２つの部分すなわち、２枚の側板６３（図１６の中央奥側の折り曲げられた側板６３、右手側の折り曲げられた側板６３）と３本の支柱６２とを接合してなる部分、および、２枚の側板６３（図１６の中央手前側の折り曲げられた側板６３、左手側の折り曲げられた側板６３）と１本の支柱６２とを接合してなる部分とからなる。
【００３８】
本発明の箱に係る支柱、底枠および蓋枠（以下、これら３つをまとめて「支柱等」とも言う）がエル（Ｌ）型である場合、上記においては支柱等として図１８に示す構造を有するもののみを例示してきたたが、支柱等はこの構造を有するものに限定されるものではない。エル（Ｌ）型の支柱等として更に、図１９に示す構造を有するものを例示し得る。
【００３９】
図１８の支柱等と図１９の支柱等とは、エル（Ｌ）型の角部（Ｌという文字の左下に相当する角部）の近傍における溝の構造の点において相違する。すなわち、前者についてはエル（Ｌ）型の角部を真上または真下にして支柱の断面を真正面から見た場合、該構造は左右対象であるのに対し、後者については該構造は左右対象でない。従って、前者の支柱等は角部近傍における溝７１の構造の配置、支柱等の軸の方向を考慮せずに使用し得るのに対し、後者の支柱等はこの点を考慮して使用しなければならず、少なくともこの観点から前者の支柱等の方が好ましいものである。
【００４０】
図２０もエル（Ｌ）型の支柱等を例示したものである。この支柱等は図１８の支柱等の溝７１の内側に突起８１を設けたものであるが、特に底枠として図１８のものより好ましく使用し得るものである。なぜなら、図１８のものを底枠とする箱の場合、底枠の溝が底枠に対する上方からの圧縮力によって拡張されて変形するという好ましくない場合が起こり得るが、図２０のものを底枠とるす箱の場合、圧縮力は突起によって受け止められるから、底枠の溝が圧縮力によって拡張されて変形するという好ましくない場合が起こり難いからである。
【００４１】
底板と底枠との位置関係について、図３、図８、図１０、図１１、図１３および図１６においては、底板の上面に底枠を接合した態様を例示したが、本発明の箱の底部に係る底板と底枠との位置関係はこれに限定されない。他の態様の例として、図示はしていないが、底板の四周の端部を底枠の水平方向の溝に嵌め込んだ状態で両者を接合する態様を挙げ得る。この態様の場合、底板の厚さと該溝の幅との関係は、嵌め込みにより両者を合体し得る関係でなければならないことは言うまでもない。
【００４２】
底部に位置する板の枚数について、図３、図８、図１０、図１１、図１３および図１６には一枚の板（底板）を用いる態様を例示したが、本発明の箱においては、底部に更なる板を追加して使用し得る。図示はしていないが、例えば防水等のために、図３の底板の上に更にもう一枚の板を重ね置いてもよいし、もう一枚の板の端部を底枠の水平の溝に嵌め込んでもよい。
【００４３】
本発明の箱は、方形の底部、底部の上に置かれた側面部および側面部の上に置かれた蓋部からなる箱であって、底部は底板および底板の周辺部において底板と接合された底枠からなり、側面部は支柱と熱可塑性樹脂から成形された中空構造板である側板とからなり、支柱と側板とは一体に連結してあり、底枠は側板の下端を垂直方向に差し込んで側板を支持するためのエル（Ｌ）型の断面の形状を有する溝を有しており、支柱は側板の垂直方向の両端を差し込んで側板を支持するためのエル（Ｌ）型の断面の溝を有しており、対向する側板のそれぞれに中央部および両端部の３箇所を折り曲げ、側面部は嵩張らない部分に折り畳むことができ、蓋部は蓋板および蓋板の周辺部において蓋板と接合される蓋枠とからなり、蓋枠は側板の上端を垂直方向に差し込んで側板を支持するための溝を有している箱であるから、本発明の箱は、箱を特に通い箱として使用する場合に、箱の嵩張りの問題および箱の分解や組み立てに要する手間の問題を解決した箱である。
【図面の簡単な説明】
【図１】本発明の好ましい箱の第一の例の斜視図である。
【図２】図１の箱を蓋部とその他の部分とに分解したものの斜視図である。
【図３】図２のものをさらに底部と側面部とに分解した斜視図である。
【図４】図１の箱を嵩張らない平板状の各部分を一緒にして積み重ねたものの斜視図である。
【図５】本発明に係る側板の素材の熱可塑性樹脂から成形された中空構造板の２面図である。
【図６】本発明の好ましい箱の第二の例の斜視図である。
【図７】図６の箱を蓋部とその他の部分とに分解したものの斜視図である。
【図８】図７のものをさらに底部と側面部とに分解した斜視図である。
【図９】図６の箱を嵩張らない平板状の各部分を一緒にして積み重ねたものの斜視図である。
【図１０】本発明の好ましい箱の第三の例を示す斜視図である。
【図１１】本発明の好ましい箱の第四の例を示す斜視図である。
【図１２】本発明の好ましい箱の第五の例を示す斜視図である。
【図１３】図１２のものを底部と側面部と蓋部とに分解した斜視図である。
【図１４】図１２の箱を嵩張らない平板状の各部分を一緒にして積み重ねた例の斜視図である。
【図１５】本発明の好ましい箱の第６の例を示す斜視図である。
【図１６】図１５の箱を底部と側面部と蓋部とに分解した斜視図である。
【図１７】図１５の箱を嵩張らない平板状の各部分を一緒にして積み重ねたものの斜視図である。
【図１８】本発明に係る支柱等の斜視図である。
【図１９】本発明に係る支柱等の別の例の斜視図である。
【図２０】本発明に係る支柱等のさらに別の例の斜視図である。
【図２１】従来の箱を底部と側面部と蓋部とに分解した斜視図である。
【符号の説明】
１・２１…底部
２・２２・３１・５１・６１…側面部
３・２３…蓋部
６・２６・３３・５２・６３…側板
７・２４・３２・４１・４２・６２…支柱
【図１】
0004056101.tif 000002
【図２】
0004056101.tif 000003
【図３】
0004056101.tif 000004
【図４】
0004056101.tif 000005
【図５】
0004056101.tif 000006
【図６】
0004056101.tif 000007
【図７】
0004056101.tif 000008
【図８】
0004056101.tif 000009
【図９】
0004056101.tif 000010
【図１０】
0004056101.tif 000011
【図１１】
0004056101.tif 000012
【図１２】
0004056101.tif 000013
【図１３】
0004056101.tif 000014
【図１４】
0004056101.tif 000015
【図１５】
0004056101.tif 000016
【図１６】
0004056101.tif 000017
【図１７】
0004056101.tif 000018
【図１８】
0004056101.tif 000019
【図１９】
0004056101.tif 000020
【図２０】
0004056101.tif 000021
【図２１】
0004056101.tif 000022